(57)【要約】【課題】  メニュースイッチとトッピングスイッチの総数を過多にすることなく、洗車場の営業戦略と利用者の選択肢を実質的に多様化すること。【解決手段】  複数の洗車コースの中から選択された所望のものから構成される主メニューを指定するメニュースイッチ４１と、主メニューに含まれなかった洗車コースから構成される追加メニューを指定するトッピングスイッチ４２とを有し、各スイッチ４１、４２の操作により指定された主メニューと追加メニューとを組合せて洗車機１０を制御する洗車機制御装置３０において、トッピングスイッチ４２が指定する追加メニューを構成するための洗車コースを設定替えできるもの。【選択図】  図２
2006103360.tif 000002
【特許請求の範囲】
【請求項１】
複数の洗車コースの中から選択された所望のものから構成される主メニューを指定するメニュースイッチと、
主メニューに含まれなかった洗車コースから構成される追加メニューを指定するトッピングスイッチとを有し、
各スイッチの操作により指定された主メニューと追加メニューとを組合せて洗車機を制御する洗車機制御装置において、
トッピングスイッチが指定する追加メニューを構成するための洗車コースを設定替えできることを特徴とする洗車機制御装置。
【請求項２】
前記トッピングスイッチにより指定される追加メニューが複数の洗車コースからなるものにする請求項１に記載の洗車機制御装置。
【請求項３】
前記トッピングスイッチを複数個有する請求項１又は２に記載の洗車機制御装置。
【請求項４】
前記トッピングスイッチが指定する追加メニューを構成するための洗車コースの候補を、それらの優先追加順位とともに予め定め、メニュースイッチにより指定された主メニューに含まれなかった洗車コースのうちで上記優先追加順位の高い候補により追加メニューを構成する請求項１〜３のいずれかに記載の洗車機制御装置。
【発明の詳細な説明】
【技術分野】
【０００１】
本発明は洗車機制御装置に関する。
【背景技術】
【０００２】
洗車機制御装置として、特許文献１に記載の如く、複数の洗車コースの中から選択された所望のものから構成される主メニューを指定するメニュースイッチと、主メニューに含まれなかった洗車コースから構成される追加メニューを指定するトッピングスイッチとを有し、各スイッチの操作により指定された主メニューと追加メニューとを組合せて洗車機を制御するものがある。洗車コースとしては、水洗い、ワックスがけ、コーティング剤塗布、下部洗、高圧水洗、タイヤブラシ等がある。主メニューとしては、水洗いだけからなるもの、ワックスがけだけからなるもの、コーティング剤塗布だけからなるもの、水洗いと下部洗からなるもの、ワックスがけと下部洗からなるもの、コーティング剤塗布と下部洗からなるもの等がある。追加メニューとしては、下部洗だけからなるもの、高圧水洗だけからなるもの、タイヤブラシだけからなるもの等がある。
【特許文献１】特開平3-186460
【発明の開示】
【発明が解決しようとする課題】
【０００３】
特許文献１に記載の洗車機制御装置では、トッピングスイッチによって指定される追加メニューが、例えば下部洗だけからなるものに固定されていて設定替えできない。従って、洗車機が保有する全ての洗車コースを、メニュースイッチにより指定される主メニュー、又はトッピングスイッチにより指定される追加メニューに多様に組入れ、洗車場の営業戦略と利用者の選択肢の多様化を図ろうとする場合には、主メニューと追加メニューの総数、ひいてはメニュースイッチとトッピングスイッチの総数が過多になり、スイッチ操作性も煩雑になる。
【０００４】
本発明の課題は、メニュースイッチとトッピングスイッチの総数を過多にすることなく、洗車場の営業戦略と利用者の選択肢を実質的に多様化することにある。
【課題を解決するための手段】
【０００５】
請求項１の発明は、複数の洗車コースの中から選択された所望のものから構成される主メニューを指定するメニュースイッチと、主メニューに含まれなかった洗車コースから構成される追加メニューを指定するトッピングスイッチとを有し、各スイッチの操作により指定された主メニューと追加メニューとを組合せて洗車機を制御する洗車機制御装置において、トッピングスイッチが指定する追加メニューを構成するための洗車コースを設定替えできるようにしたものである。
【０００６】
請求項２の発明は、請求項１の発明において更に、前記トッピングスイッチにより指定される追加メニューが複数の洗車コースからなるものにするようにしたものである。
【０００７】
請求項３の発明は、請求項１又は２の発明において更に、前記トッピングスイッチを複数個有するようにしたものである。
【０００８】
請求項４の発明は、請求項１〜３いずれかの発明において更に、前記トッピングスイッチが指定する追加メニューを構成するための洗車コースの候補を、それらの優先追加順位とともに予め定め、メニュースイッチにより指定された主メニューに含まれなかった洗車コースのうちで上記優先追加順位の高い候補により追加メニューを構成するようにしたものである。
【発明の効果】
【０００９】
（請求項１）
(a)メニュースイッチにより指定される主メニューとして、利用者の利用頻度の高い洗車コースを選択する他、トッピングスイッチにより指定される追加メニューとして、主メニューに含まれなかった洗車コースを選択し、更にトッピングスイッチが指定する追加メニューを構成するための上述の洗車コースを洗車場の事情等により如何様にも設定替えできる。従って、洗車機が保有する全ての洗車コースを、メニュースイッチにより指定される主メニュー、又はトッピングスイッチにより指定される追加メニューに多様に組入れることなく、換言すればメニュースイッチとトッピングスイッチの総数を過多にすることなく、洗車場の営業戦略と利用者の選択肢の多様化を図ることができる。
【００１０】
（請求項２）
(b)トッピングスイッチにより指定される追加メニューが複数の洗車コースからなるものにすることにより、洗車場の営業戦略と利用者の選択肢の一層の多様化を図ることができる。
【００１１】
（請求項３）
(c)トッピングスイッチを複数個有するものとすることにより、洗車場の営業戦略と利用者の選択肢の一層の多様化を図ることができる。
【００１２】
（請求項４）
(d)トッピングスイッチが指定する追加メニューを構成するための洗車コースの候補を、それらの優先追加順位とともに予め定め、メニュースイッチにより指定された主メニューに含まれなかった洗車コースのうちで上記優先追加順位の高い候補により追加メニューを構成するものとすることにより、制御装置はトッピングスイッチが指定する追加メニューを構成するための洗車コースを自動制御的に設定替えできる。
【発明を実施するための最良の形態】
【００１３】
図１は洗車機制御装置を示す模式図、図２は洗車機制御装置を示すブロック図、図３は洗車機制御装置の制御手順を示す流れ図である。
【実施例】
【００１４】
洗車機１０は、図１に示す如く、洗車対象車両をまたいで往復走行する門型の洗車機本体１０Ａを有し、公知のトップブラシ１１、サイドブラシ１２、ロッカーブラシ１３及びエアノズル１４等を有する。
【００１５】
洗車機１０は、カードリーダ２１、硬貨識別装置２２、紙幣識別装置２３、操作パネル２４、表示器２５、領収書発行装置２６、制御装置３０を有する。
【００１６】
制御装置３０は、図２に示す如く、各機器２１〜２６が接続される中央処理回路３１、主メモリ３２、洗車作業決定回路３３、洗車機駆動回路３４を有する。
【００１７】
ここで、操作パネル２４は、メニュースイッチ４１（４１Ａ〜４１Ｆ）、トッピングスイッチ４２、スタートスイッチ４３、ストップスイッチ４４を有する。
【００１８】
メニュースイッチ４１（４１Ａ〜４１Ｆ）は、複数の洗車コース（例えば水洗い、ワックスがけ、コーティング剤塗布、下部洗、高圧水洗、タイヤブラシ等）の中から選択された所望のものから構成される主メニュー（例えば水洗いだけからなるＡメニュー、ワックスがけだけからなるＢメニュー、コーティング剤塗布だけからなるＣメニュー、水洗いと下部洗からなるＤメニュー、ワックスがけと下部洗からなるＥメニュー、コーティング剤塗布と下部洗からなるＦメニュー）を指定する。操作パネル２４における各メニュースイッチ４１の側傍には、当該メニュースイッチ４１に対応する主メニューの内容（例えば水洗いだけからなるＡメニュー）が表示される。
【００１９】
トッピングスイッチ４２は、主メニューに含まれなかった洗車コースから構成される追加メニュー（例えば下部洗だけからなるもの、高圧水洗だけからなるもの、タイヤブラシだけからなるもの等）を指定する。操作パネル２４におけるトッピングスイッチ４２の側傍には、当該トッピングスイッチ４２に対応する追加メニューの内容（例えば下部洗）が表示される。
【００２０】
制御装置３０の中央処理回路３１は、メニュースイッチ４１とトッピングスイッチ４２の操作により指定された主メニューと追加メニューを主メモリ３２から読み出し、洗車作業決定回路３３においてそれらの主メニューと追加メニューとを組合せて１つの洗車作業手順を決定する。洗車機駆動回路３４は、洗車作業決定回路３３によって決定された洗車作業手順に従って洗車機１０を自動制御し、指定された通りの洗車作業を実施する。スタートスイッチ４３は洗車機１０を駆動開始操作可能にし、ストップスイッチ４４は洗車機１０を駆動停止操作可能にする。
【００２１】
操作パネル２４は、メニュー設定替えスイッチ５１（５１Ａ〜５１Ｆ）、トッピング設定替えスイッチ５２、洗車コース選択スイッチ５３を有する。
【００２２】
メニュー設定替えスイッチ５１（５１Ａ〜５１Ｆ）は、メニュースイッチ４１（４１Ａ〜４１Ｆ）が指定する主メニュー（Ａメニュー〜Ｆメニュー）を構成するための洗車コースを設定替えできる。即ち、制御装置３０の中央処理回路３１は、メニュー設定替えスイッチ５１ＡのオンによりＡメニューの設定替えモードになり、続いて洗車コース選択スイッチ５３により選択される洗車コースにより新規Ａメニューを組立て、メニュー設定替えスイッチ５１Ａの更なるオンにより新規Ａメニューを設定完了とする。
【００２３】
トッピング設定替えスイッチ５２は、トッピングスイッチ４２が指定する追加メニューを構成するための洗車コースを設定替えできる。即ち、制御装置３０の中央処理回路３１は、トッピング設定替えスイッチ５２のオンにより追加メニュー設定替えモードになり、続いて洗車コース選択スイッチ５３により選択される洗車コースにより新規追加メニューを組立て、トッピング設定替えスイッチ５２の更なるオンにより新規追加メニューを設定完了とする。
【００２４】
尚、トッピングスイッチ４２により指定される追加メニューは、複数の洗車コースからなるもの（例えば下部洗と高圧水洗からなるもの、高圧水洗とタイヤブラシからなるもの、タイヤブラシと下部洗からなるもの等）にすることもできる。
【００２５】
また、トッピングスイッチ４２を複数個（例えば２個のトッピングスイッチ４２Ａ、４２Ｂ）有するものとしても良い。
【００２６】
また、制御装置３０の中央処理回路３１は、トッピングスイッチ４２が指定する追加メニューを構成するための洗車コースの候補を、それらの優先追加順位とともに予め定めておき、メニュースイッチ４１により指定された主メニューに含まれなかった洗車コースのうちで上記優先追加順位の高いものにより追加メニューを構成することもできる。
【００２７】
洗車機１０において、利用者による洗車操作は以下の通りである（図３）。
(1)利用者はカードリーダ２１、硬貨識別装置２２又は紙幣識別装置２３に料金投入する。
【００２８】
(2)中央処理回路３１は投入料金を算出し、指定可能主メニュー（Ａ〜Ｆ）に対応するメニュースイッチ４１（４１Ａ〜４１Ｆ）のランプを点滅する。利用者は所望のメニュースイッチ４１（４１Ａ〜４１Ｆ）を指定してオンする。制御装置３０は利用者がオンしたメニュースイッチ４１のランプを点灯し、他のランプを消灯する。
【００２９】
(3)中央処理回路３１は指定可能追加メニューに対応するトッピングスイッチ４２のランプを点滅する。利用者は所望のトッピングスイッチ４２を指定してオンする。中央処理回路３１は利用者がオンしたトッピングスイッチ４２のランプを点灯する。
【００３０】
(4)利用者が精算釦をオンすると、中央処理回路３１は精算処理して受付完了し、洗車作業決定回路３３、洗車機駆動回路３４を介して洗車機１０を作動させる。
【００３１】
本実施例によれば以下の作用効果を奏する。
(a)メニュースイッチ４１により指定される主メニューとして、利用者の利用頻度の高い洗車コースを選択する他、トッピングスイッチ４２により指定される追加メニューとして、主メニューに含まれなかった洗車コースを選択し、更にトッピングスイッチ４２が指定する追加メニューを構成するための上述の洗車コースを洗車場の事情等により如何様にも設定替えできる。従って、洗車機１０が保有する全ての洗車コースを、メニュースイッチ４１により指定される主メニュー、又はトッピングスイッチ４２により指定される追加メニューに多様に組入れることなく、換言すればメニュースイッチ４１とトッピングスイッチ４２の総数を過多にすることなく、洗車場の営業戦略と利用者の選択肢の多様化を図ることができる。
【００３２】
(b)トッピングスイッチ４２により指定される追加メニューが複数の洗車コースからなるものにすることにより、洗車場の営業戦略と利用者の選択肢の一層の多様化を図ることができる。
【００３３】
(c)トッピングスイッチ４２を複数個有するものとすることにより、洗車場の営業戦略と利用者の選択肢の一層の多様化を図ることができる。
【００３４】
(d)トッピングスイッチ４２が指定する追加メニューを構成するための洗車コースの候補を、それらの優先追加順位とともに予め定め、メニュースイッチ４１により指定された主メニューに含まれなかった洗車コースのうちで上記優先追加順位の高い候補により追加メニューを構成するものとすることにより、制御装置はトッピングスイッチ４２が指定する追加メニューを構成するための洗車コースを自動制御的に設定替えできる。
【００３５】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００３６】
【図１】図１は洗車機制御装置を示す模式図である。
【図２】図２は洗車機制御装置を示すブロック図である。
【図３】図３は洗車機制御装置の制御手順を示す流れ図である。
【符号の説明】
【００３７】
１０  洗車機
３０  制御装置
４１  メニュースイッチ
４２  トッピングスイッチ
５１  メニュー設定替えスイッチ
５２  トッピング設定替えスイッチ
５３  洗車コース選択スイッチ
【図１】
2006103360.tif 000003
【図２】
2006103360.tif 000004
【図３】
2006103360.tif 000005